(57)【要約】      （修正有）【課題】小容器をそのまま外容器に収容して密閉でき、しかも小容器が着脱容易である化粧品容器を提供する。【解決手段】円筒形の開口部を有する容器本体４の外周に主ねじ６を形成し、この主ねじ６より上部の容器本体開口部の外径を段部を介して細く形成すると共に、この容器本体開口部の外周に副ねじ９を形成する。そして詰め替え用の小容器３の開口縁より下部外周に鍔部１１を形成すると共に、この鍔部１１に下向きに開口した嵌合溝を形成し、この嵌合溝の溝壁に小容器締結ねじを形成する。小容器締結ねじを副ねじ９にねじ込んで小容器３を容器本体４内に嵌合固定し、さらに蓋５の内周の蓋ねじ１０を主ねじ６にねじ込んで容器本体４の開口部を閉じたとき、小容器３の開口縁が蓋５の裏面に当たる。【選択図】図２
0003152177.tif 000002
【実用新案登録請求の範囲】
【請求項１】
円筒形の開口部を有する容器本体の外周に主ねじを形成し、この主ねじより上部の容器本体開口部の外径を段部を介して細く形成すると共に、この容器本体開口部の外周に副ねじを形成し、
そして詰め替え用の小容器の開口縁より下部外周に鍔部を形成すると共に、この鍔部に下向きに開口した嵌合溝を形成し、この嵌合溝内の溝壁内周に小容器締結ねじを形成して、
この嵌合溝に前記容器本体開口部を挿入すると共に、小容器締結ねじを副ねじにねじ込んで小容器を容器本体内に一体的に嵌合固定し、
さらに蓋の内周の蓋ねじを容器本体の主ねじにねじ込んで容器本体の開口部を閉じたとき、小容器の開口縁が蓋の裏面に当たるようにしてなる化粧品容器。
【請求項２】
前記小容器の鍔部の外周に滑り止め用のローレット部を形成することを特徴とする請求項１に記載の化粧品容器。
【請求項３】
前記蓋の少なくとも裏面に弾性部材を嵌合し、蓋を閉じたときに小容器の開口縁が弾性部材に当たることを特徴とする請求項１に記載の化粧品容器。
【請求項４】
前記副ねじと前記主ねじのねじ巻き方向を逆向きにすることを特徴とする請求項１に記載の化粧品容器。
【考案の詳細な説明】
【技術分野】
【０００１】
本考案は、クリームなどの化粧品を入れる容器に関する。
【背景技術】
【０００２】
クリームなどの化粧品を入れる容器（以下、「外容器」という）は、内容物であるクリームなどの化粧品の変質を防ぐという点から遮光性にしたり、密閉可能にしたりしている。また、高級感を出すため種々のデザインが施されている。
このため外容器が高価になり、化粧品を使い切るたびに廃棄するのでは不経済であるばかりでなく、エコロジに反している。
そのため外容器を交換せずに化粧品を詰め替える容器が各種提案されている。特に小容器をそのまま外容器に収容するもの（特許文献１，２）は、外容器内部に古い化粧品が残留しないので、古い化粧品により詰め替えた新しい化粧品が汚染されることがないという点で優れている。
しかし、小容器の交換時に収容されている古い小容器が着脱し難かったり、着脱容易にするために外容器の底部に外部と繋がる隙間を有し、密閉できなかったりする。
【先行技術文献】
【特許文献】
【０００３】
【特許文献１】特許第３９１５０５１号公報
【特許文献２】実開昭６３−２８４２１号公報
【考案の概要】
【考案が解決しようとする課題】
【０００４】
解決しようとする課題は、小容器をそのまま外容器に収容して密閉でき、しかも小容器が着脱容易である化粧品容器を提供することである。
【課題を解決するための手段】
【０００５】
請求項１の考案は、円筒形の開口部を有する容器本体の外周に主ねじを形成し、この主ねじより上部の容器本体開口部の外径を段部を介して細く形成すると共に、この容器本体開口部の外周に副ねじを形成する。そして、詰め替え用の小容器の開口縁より下部外周に鍔部を形成すると共に、この鍔部に下向きに開口した嵌合溝を形成し、この嵌合溝内の溝壁内周に小容器締結ねじを形成して、この嵌合溝に前記容器本体開口部を挿入すると共に、小容器締結ねじを副ねじにねじ込んで小容器を容器本体内に一体的に嵌合固定する。さらに蓋の内周の蓋ねじを容器本体の主ねじにねじ込んで容器本体の開口部を閉じたとき、小容器の開口縁が蓋の裏面に当たるようにしてなる。
請求項２の考案は、前記小容器の鍔部の外周に滑り止め用のローレット部を形成することを特徴とする。
請求項３の考案は、蓋の少なくとも裏面に弾性部材を嵌合し、蓋を閉じたときに小容器の開口縁が弾性部材に当たることを特徴とする。
請求項４の考案は、前記副ねじと前記主ねじのねじ巻き方向を逆向きにすることを特徴とすることを特徴とする。
【考案の効果】
【０００６】
請求項１の考案は、蓋の外周の蓋ねじを容器本体の主ねじにねじ込んで容器本体の開口部を閉じたとき、小容器の開口縁が蓋の裏面に当たるので、小容器の開口縁と蓋の接触により化粧品容器を密閉できる。また、小容器は、容器本体にねじで取り付けるので、小容器を容易に着脱できる。
請求項２の考案は、小容器の鍔部の外周に滑り止め用のローレット部があるので、滑ることなく、小容器の着脱ができる。また、ローレット部の存在により、ここを握り回転すると詰め替えられることが使用者に明瞭になる。
請求項３の考案は、蓋の少なくとも裏面に弾性部材を嵌合し、蓋を閉じたときに小容器の開口縁が弾性部材に当たるので、密閉度がより向上する。
請求項４の考案は、副ねじと前記主ねじのねじ巻き方向を逆向きにするので、蓋を開く際に小容器が外れるおそれがない。
【図面の簡単な説明】
【０００７】
【図１】蓋を取り付けた状態の化粧品容器の部分断面図である。
【図２】蓋を取り外した状態の化粧品容器の部分断面図である。
【図３】化粧品容器を分解した状態の部分断面図である。
【図４】小容器の平面図である。
【図５】別の実施形態になる小容器の平面図である。
【図６】さらに別の実施形態のを取り付けた状態の化粧品容器の部分断面図である。
【考案を実施するための形態】
【０００８】
以下、本考案に係る化粧品容器の実施形態について図を参照して説明する。
図１は蓋を取り付けた状態の化粧品容器の部分断面図、図２は蓋を取り外した状態の化粧品容器の部分断面図、図３は化粧品容器を分解した状態の部分断面図、図４は小容器の平面図である。
【０００９】
１は化粧品容器であり、外容器２と小容器３からなる。
外容器２は、円筒形の開口部を有する容器本体４と、蓋５からなる。
容器本体４は、中央部の外周に主ねじ６を形成し、この主ねじ６より上部の容器本体開口部７の外径を段部８を介して細く形成すると共に、この容器本体開口部７の外周に副ねじ９を形成する。
蓋５は底面が開口した円筒状のもので、内周下端部に蓋ねじ１０を形成する。
容器本体４の開口縁は、容器本体４の主ねじ６に蓋５をねじ込んだ際に、蓋５の裏面と所定寸法離間する（図４参照）。
【００１０】
小容器３は、上面が開口した円筒状のプラスチック製容器であり、壁面が外容器２より肉薄である。また、小容器３の開口縁よりやや下方に円環状の鍔部１１を突設し、この鍔部１１の外周部にローレット部１２を形成する。
さらに、この鍔部１１に下向きに開口した嵌合溝１３を形成すると共に、この嵌合溝１３の内向きの溝壁に小容器締結ねじ１４を形成する。
また、小容器３の開口部を、内蓋１５で閉蓋する。
なお、内蓋１５で閉蓋した上に、薄いフィルムを被せ熱シールして、小容器３を密閉してもよい。
内蓋１５は、図４に示すような小容器３の開口部にねじ込んでする円板状のもののほか、薄いプラスチック製のフィルムを熱シールしたものであってもよく、内容物であるクリームなどの化粧品が変質しないよう小容器３の開口部を密閉できるものであればよい。
なお、１６は内蓋１５を着脱しやすくするためのつまみ部である。
【００１１】
以上のようにしてなる化粧品容器１は、以下の小容器３の挿入作業を行う。
先ず、容器本体４内に小容器３を入れ、副ねじ９と小容器締結ねじ１４をねじ込んで、次に小容器３の内蓋１５を外す。さらに、蓋５を被せ主ねじ６に蓋ねじ１０をねじ込む。
この状態で、小容器３の開口縁が、蓋５の裏面に当たり、化粧品容器１は密封される。
また、この際に鍔部１１は蓋５と接触しない。
【００１２】
小容器３を交換する場合は、蓋５を外した後、一方の手で容器本体４を握り、もう一方の手で小容器３の鍔部１１を握って回し、副ねじ９より小容器締結ねじ１４を外した後、小容器３を取り出す。その後、上記小容器３の挿入作業に従い、新たな小容器３を入れる。
【００１３】
次に別の実施形態について説明する。
小容器３を図５に示すとおり、内蓋１５をした状態で蓋５を閉めても、内蓋１５が蓋５の内側に接しないようにしたことが上記実施形態との違いである。
すなわち、小容器３の内周部の開口部から所定距離間をそれより下側の部分より拡開して拡開部１７とする。この拡開部１７の最下端部に内蓋１５を嵌合し、小容器３を閉蓋する。
内蓋１５の厚さは、拡開部１７の高さより小とする。
以上のように形成すると、内蓋１５を取り付けた状態で小容器３を外容器２に収容しても、内蓋１５のつまみ部１６が邪魔にならずに蓋５を閉めることができる。
上記実施形態では、外容器２に収容する際に内蓋１５を外しているが、この実施形態では内蓋１５は外さない。
したがって、上記実施形態と比較し、化粧品を使用する際に蓋５及び内蓋１５を開けなくてはならないが、容器の密閉度は向上する。
【００１４】
なお、上記各実施形態で蓋５を図６に示すとおり、外側部５ａに、弾性を有する素材で形成した内側部５ｂを嵌合させ、蓋５のねじ１０が主ねじ６とねじ込んでした際に、小容器３の開口縁が内側部５ｂを押圧する構成にすると、小容器３の開口縁が内側部５ｂに食い込み密閉度が向上する。
【００１５】
また、上記容器本体３は円筒形の開口部を有すればよく、外壁の断面は六角形などの各種形状であってよい。
【符号の説明】
【００１６】
１    化粧品容器
２    外容器
３    小容器
４    容器本体
５    蓋
６    主ねじ
７    容器本体開口部
８    段部
９    副ねじ
１０    蓋ねじ
１１    鍔部
１３    嵌合溝
１４    小容器締結ねじ
【図１】
0003152177.tif 000003
【図２】
0003152177.tif 000004
【図３】
0003152177.tif 000005
【図４】
0003152177.tif 000006
【図５】
0003152177.tif 000007
【図６】
0003152177.tif 000008